(57)【特許請求の範囲】
【請求項１】
それぞれのフロントパネルにディスプレイおよび複数の操作釦を備え、各々が記録媒体挿入口を裏面側に有する独立した再生手段を上下二段に設置した音響機器ユニットにおいて、上下に配設された前記フロントパネルを互いにカム溝を含むリンクで機械的に結合し、１つの駆動源によって下段フロントパネル下端部の移動によりこの下段フロントパネルを起立位置から仰向位置へ移動させると共に、この下段フロントパネルに連動させて上段のフロントパネルを起立位置から仰向位置に移行させ、それぞれの記録媒体挿入口を開口させること特徴とする分割フロントパネル。
【請求項２】
前記下段フロントパネルの裏側に設けられた前記記録媒体挿入口の下縁には前記下段フロントパネルの仰向位置移動に連動して架設される記録媒体誘導板を前記記録媒体挿入口上縁に設けた照光部材で照射することを特徴とする請求項１に記載の分割フロントパネル。
【請求項３】
前記下段フロントパネルの電気器材と前記音響機器本体に設置された電気器材とを接続するフレキシブル配線の中間部を前記リンクに連係させて、前記下段フロントパネルの移動に伴うフレキシブル配線の移行を延伸位置と折畳み位置との間で所定の方向に誘導することを特徴とする請求項１に記載の分割フロントパネル。
【発明の詳細な説明】
【０００１】
【発明の属する技術分野】
本発明は車載用音響機器の分割フロントパネルに係わり、特に視認性と操作性が向上する斜傾位置に移行可能な分割フロントパネルの移動機構に関する。
【０００２】
【従来の技術】
従来より複数重ねて搭載される車載用音響機器は、記録媒体の挿入口を操作部材の裏面に配置して機器全体が大きな占有スペースとならないようにしており、しかもディスプレイを見易く、また操作釦の操作性をよくするために、上段のフロントパネルが下端にヒンジを設けた上開きとし、下段フロントパネルを必要に応じて傾斜させる構成が公知である。また、上段と下段に分割されたフロントパネルを、別々に動作させるために、２台以上のモータを使用している（特許２６０１９４８、特開平１１−９７８５６）。
【０００３】
【発明が解決しようとする課題】
しかしながら、フロントパネルは上段にディスプレイを、また下段に操作釦をまとめた構成であり、上段のフロントパネルの角度調整および下段のフロントパネルの角度調整用にそれぞれ２台ないし３台のモータによる駆動源を持ち、各々の角度調整釦と併せて両方のフロントパネルを所定角度に移動させる差動釦を別に設けている。これらには、機械的に連動する機構が採用されていないので、電気的な駆動のタイミング調整が必要である。この構成は様々な角度調整の要求に対応できる柔軟な機能を有するが、操作の多様性によって自動車運転中の注意力が分散される可能性が懸念され、運転の安全性に問題がある。
【０００４】
そこで本発明の第一の目的は、コンパクトに上下二段に分割して構成した音響機器のフロントパネルの視認性と操作性を向上するために、単純な操作で上下二段に設けたフロントパネルをそれぞれ異なる所定の仰角位置に１台の駆動源による一連の動作で移動させることが可能な、簡単で確実に作動するコンパクトな機構を提供することである。
【０００５】
本発明の第二の目的は、記録媒体挿入口を使用時のみ開口させ、安全かつ確実に記録媒体が挿入口から挿入できるように視野の陰になる挿入口を間接照明することである。
【０００６】
本発明の第三の目的は、フロントパネルの移動にともなう電気配線の移行を、途中で支障が起きないように整然と行うことである。
【０００７】
【課題を解決するための手段】
上記の目的を達成するために、本発明に係わる分割フロントパネルは、それぞれのフロントパネルにディスプレイおよび複数の操作釦を備え、各々が記録媒体挿入口を裏面側に有する独立した再生手段を上下二段に設置した音響機器ユニットにおいて、上下に配設された前記フロントパネルを互いにカム溝を含むリンクで機械的に結合し、１つの駆動源によって下段フロントパネル下端部の移動によりこの下段フロントパネルを起立位置から仰向位置へ移動させると共に、この下段フロントパネルに連動させて上段のフロントパネルを起立位置から仰向位置に移行させ、それぞれの記録媒体挿入口を開口させるようにした。
【０００８】
また、前記下段フロントパネルの裏側に設けられた前記記録媒体挿入口の下縁には前記下段フロントパネルの仰向位置移動に連動して架設される記録媒体誘導板を前記記録媒体挿入口上縁に設けた照光部材で照射するようにした。
【０００９】
さらに、前記下段フロントパネルの電気器材と前記音響機器本体に設置された電気器材とを接続するフレキシブル配線の中間部を前記リンクに連係させて、前記下段フロントパネルの移動に伴うフレキシブル配線の移行を延伸位置と折畳み位置との間で所定の方向に誘導する。
【００１０】
【発明の実施の形態】
以下に本発明に係わる分割フロントパネルの一実施例を示す図面に基づいて実施の形態を説明する。図１は本発明に係わる分割フロントパネル１０，１２が起立位置（ホームポジション）にあるときの概略を示す側面図で、図２は下段フロントパネル１０を仰向きに傾斜せて下段の記録媒体挿入口１４を開口したときの側面図、図３は上段フロントパネル１２が下段フロントパネル１０にリンク結合されて仰向きに傾斜し、上段の記録媒体挿入口１６を開口したときの側面図である。上段フロントパネル１２の仰角は下段フロントパネルの仰角より小さくして、下段フロントパネル１０のディスプレイや操作釦が上段フロントパネル１２によって隠されることがないようにする。
【００１１】
下段フロントパネル１０は、駆動フレーム１８に固定され、上段フロントパネル１２は連動フレーム２０の上部に固定されている。駆動フレーム１８は連動フレーム２０内に移動自在に嵌装されている。図示しない本体ハウジングに内蔵され、プログラム制御されている駆動モータによって、駆動アーム２２が前後水平に駆動される（図中矢印）。駆動アーム２２の前端部２４は、駆動フレーム１８の下端部に立設した支軸２６に回動自在に係合し、駆動フレーム１８の下端を駆動アーム２２の前後運動によって水平に移動させる。
【００１２】
２８は本体ハウジングの前面を形成する固定フレームで、駆動フレーム１８および連動フレーム２０を所定の仰角に誘導するカム溝３２，３０が上下に穿設されている。下部カム溝３０には駆動フレーム１８の上端部に立設した誘導軸３４が摺動自在に嵌挿されている。また、上部カム溝３２には連動フレーム２０の上端部に立設した追動軸３６が摺動自在に嵌挿されている。
【００１３】
連動フレーム２０下部に穿設された遊嵌溝３８は、上・下フロントパネル１０，１２の起立位置（ホームポジション）では、下部カム溝３０の上部で整合しているが、溝の長さが下部カム溝３０の長さより短く、移動の前段階では誘導軸３４の移動に干渉せずに遊嵌状態にある。連動フレーム２０の上部と下部は、張架された引張スプリング４０，４２による斜め上方の付勢力で固定フレーム２８に繋止されているが、駆動フレーム１８の誘導軸３４が下部カム溝３０に沿って下降し、連動フレーム２０の遊嵌溝３８下端４４に当接した後は、誘導軸３４が引張スプリング４０，４２の付勢力に抗して連動フレーム２０を駆動する。従って、連動フレーム２０上端部の追動軸３６は上部カム溝３２に沿って案内され下降する。
【００１４】
以下に、本発明に係わる分割フロントパネルの動作について説明する。本実施例においては、上段の音響機器としてＣＤ、下段の音響機器としてＭＤの再生装置が装備されている。下段と上段のフロントパネル１０，１２の操作釦スイッチが用意されており、ＭＤ用の操作釦を押すと、図示しない制御モータが駆動され、駆動アーム２２がハウジングから突出方向に直線運動して駆動フレーム１８の下端部を前進（矢印Ａ）させるので誘導軸３４は下部カム溝３０に沿って下降する。誘導軸３４の下降に従って、駆動フレーム１８に固定された下段フロントパネル１０は仰向けに向きを変える。
【００１５】
図２に示すような、連動フレーム２０の遊嵌溝３８下端４４に誘導軸３４が当接する位置でモータが停止される。モータの停止位置は機械的または電気的に設定できる。このとき、駆動フレーム１８の背面で閉鎖位置に支持されていたガイドドア４６が支えを失って、内設された捩じりバネの付勢力で水平位置まで旋回し、下段のＭＤ用記録媒体挿入口１４を開口する。プリント基板４８に配設されたＬＥＤ５０が点弧し、半透明の窓５２を通して散乱光で記録媒体誘導板であるガイドドア４６の案内面を間接照明するので、ＭＤの挿入を極めて容易に行うことができる。
【００１６】
再度ＭＤ用の操作釦を押すと、駆動アーム２２は後退（矢印Ｂ）方向に移動するので、連動フレーム２０の誘導軸３４は下部カム溝３０に沿って上昇する。下段フロントパネル１０がホームポジションである起立位置に復帰するとモータは所定の信号を受けて停止する。
【００１７】
次に、ＣＤに対応する操作釦を押すと、駆動アーム２２を推動するモータは、図２に示す駆動フレーム１８の誘導軸３４が遊嵌溝３８の下端４４と当接する位置で停止せず、さらに前進（矢印Ａ）を続け、図３に示すように下部カム溝３０の最下端５４に到って停止する。ここで下段フロントパネル１０は最大仰角位置に達する。
【００１８】
この間、誘導軸３４は遊嵌溝３８の下端４４を押動して連動フレーム２０を一緒に駆動する。連動フレーム２０は引張スプリング４０，４２の張力に抗して駆動フレーム１８に追動し、遊嵌溝３８下端４４も固定フレーム２８の下部カム溝３０の残りの長さ部分に沿って移動し、連動フレーム２０上部の追動軸３６は上部カム溝３２に沿ってその全行程を移動して降下する。このため、上段のＣＤ用記録媒体挿入口１６が開口する。
【００１９】
再度ＣＤ用の操作釦を押すことによって、駆動アーム２２が後退（矢印Ｂ）するので、連動フレーム２０の誘導軸３４は下部カム溝３０に沿って上昇し、先ず、上段フロントパネル１０がホームポジションの起立位置に復帰し、次いで下段フロントパネル１０がホームポジションの起立位置に復帰して、モータは所定の信号で停止する。
【００２０】
本発明に係わる分割フロントパネル１０，１２では、単一の駆動源で動かすことによってコンパクトな開閉を可能にしている。このため、分割した機能によるフレームの動作をフレキシブル配線コード５６の配線処理に利用する。５８，６０はフレキシブルコード５６のコネクタである。従来公知の分割フロントパネルでもフレキシブル配線を行っているが、展開したときから収納位置に復帰するときの撓みの方向が一定していないため複雑な撓みが発生して配線処理を困難にしていた。
【００２１】
そこで本発明に係わる分割フロントパネル１０，１２では、連動フレーム２０下部に設けた横桁６２をフレキシブル配線５６の下側から当接させた。これにより、下段フロントパネル１０が最大仰角位置にあってフレキシブル配線５６が展開された延伸位置から、下段フロントパネル１０の復帰動作でフレキシブル配線５６が収納位置へ屈曲を開始するとき、連動フレーム２０の横桁６２の上方移動で、中間部が必ず上向きに方向付けられる。これにより、フレキシブル配線５６は安定した収納が可能になる。
【００２２】
このように、簡単で確実に作動するコンパクトな機構で、上下二段の分割フロントパネル１０，１２を起立位置から、上下のフロントパネル１０，１２で異なる傾斜位置に一台のモータによる一連の動作で移動させて、記録媒体挿入口を開口させることができる。
【００２３】
【発明の効果】
以上の説明で明らかなように、本発明に係わる分割フロントパネルによれば、上段のフロントパネルを回動させることなく下段のフロントパネルに連動させるようにしているので複雑な機構を用いることなく、２段の仰角付与機構を構成することができ、使用モータを一台にしたことで製造コストが低減できる。また、下段フロントパネルのみの開閉を独立して行うことができ、記録媒体挿入口が開口するまで、下段フロントパネルの仰角をパネルのほぼ中心を軸にして傾斜させることができる。しかも、上段と下段にそれぞれ独立にディスプレイを設けたので例えば上段のディスプレイに文字情報を表示し、下段にオーディオ情報を表示することが可能である。
【００２４】
その上、下段の記録媒体挿入口のガイドドアに光を反射させるように照明したので、記録媒体の挿入が容易になり運転に専念できるから、より安全な走行が保証される。さらに、フレキシブル配線にガイド部材を設けて折れ曲がる方向を一定にしたので、フロントパネルの移動による配線の不安定な折れ曲がりが解消されて収納が安定し、予想しない配線の噛み込みなどで動きが阻害されることがなくなる。
【図面の簡単な説明】
【図１】本発明に係わる分割フロントパネルを収納位置に起立させた状態を示す概略の側面図である。
【図２】本発明に係わる分割フロントパネルの下段を仰向位置にして記録媒体挿入口を開口した状態を示す概略の側面図である。
【図３】本発明に係わる分割フロントパネルの上段および下段を仰向位置にして両方の記録媒体挿入口を開口した状態を示す概略の側面図である。
【符号の説明】
１０  下段フロントパネル
１２  上段フロントパネル
１４  下段記録媒体挿入口
１６  上段記録媒体挿入口
１８  駆動フレーム
２０  連動フレーム
２２  駆動アーム
２８  固定フレーム
３０  下部カム溝
３２  上部カム溝
３４  誘導軸
３６  追動軸
３８  遊嵌溝
４６  ガイドドア
５０  ＬＥＤ
５６  フレキシブル配線コード
【図１】
0004278286.tif 000002
【図２】
0004278286.tif 000003
【図３】
0004278286.tif 000004